(57)【要約】【課題】  少量散水用の配管装置をそのまま使用し、短時間のうちに大量の水を散水して長尺流下面に急速に含水させ、その後は流下面の含水状態を保つのに必要な少量の水を供給する水量の切換のできない点である。【解決手段】  送水用の配管と、配管の下側壁に位置する内ねじを形成した設置孔と、設置孔の内ねじに係合する外ねじを持ち、設置孔から配管内にねじ込み挿入される棒状の弁本体（７）と、配管外に露出する下側の端部から配管上部に挿入された上側の端部にかけて弁本体の軸線に沿って貫通する、加圧送水時に大量の水を放出する通路断面積の大きな放水路（８）と、弁本体の下側の端部にかけて側面に開口し、静圧送水時に少量の水を流出させる前記放水路に導通する放水路に比べて通路断面積の小さな側面オリフィス（９）とを備えている。弁本体の回転操作により配管壁に対する側面オリフィスの位置移動を行い、配管内部での側面オリフィスの開口断面積を変化させて流体の流量調節をする。【選択図】図２
2008202775.tif 000002
【特許請求の範囲】
【請求項１】
送水用の配管と、配管の下側壁に位置する内ねじを形成した設置孔と、設置孔の内ねじに係合する外ねじを持ち、設置孔から配管内にねじ込み挿入される棒状の弁本体と、配管外に露出する下側の端部から配管上部に挿入された上側の端部にかけて弁本体の軸線に沿って貫通する、加圧送水時に大量の水を放出する通路断面積の大きな放水路と、弁本体の下側の端部にかけて側面に開口し、静圧送水時に少量の水を流出させる前記放水路に導通する放水路に比べて通路断面積の小さな側面オリフィスとを有し、弁本体の回転操作により配管壁に対する側面オリフィスの位置移動を行い、配管内部での側面オリフィスの開口断面積を変化させて流体の流量調節をする配管装置。
【請求項２】
請求項１に記載された配管装置において、前記放水路がエアー抜き穴として機能する配管装置。
【発明の詳細な説明】
【技術分野】
【０００１】  本発明は、大量散水と少量散水の流量選択機能を備えた配管装置に係る。
【背景技術】
【０００２】  配管を貫通するねじ棒の下端にスロット開口を形成し、ねじ棒の上下調整により開口の通路断面積を変化させて流量を調整する構造の配管装置は、特開２０００−１１０９５０号公報により周知である。この装置構造によれば、配管に多数の散水箇所を設けても配管全長にわたりすべてを少量の流出量に調整することができる。したがって、例えば、特許第３５５７５６０号のような流下規正シートを敷設した一般家屋の融雪屋根のように、冬期湿潤状態にある１００平米前後の屋根であれば、散水された温水の流下距離も６ｍ程度で足りるので、ねじ棒１本の散水量も平米当たり３００ｃｃとして４０本のねじ棒のすべてを約８００ｃｃに調整しておくことができ、棟から散水した約３０ｌの水は約３分間で軒まで達し実用上問題はなかった。【０００３】  しかし、長尺の大型屋根に間歇的に散水する状況下では、例えば、屋根の散水冷却を行う場合、散水初期には乾燥したシートが急速に水を吸収して流れが経路末端に到達せず、シートが水で飽和するまで時間をかけて待つ必要がある。乾燥しやすい屋根冷却の用途では水を均一に拡散させるのに時間がかかりすぎるという欠点があった。【０００４】  屋根面や屋上スラブ面を少量の水で冷却しようとするなら、この欠点は冷却性能に関して大きな障害である。具体的には、表面の温度ムラ、とりわけ高温部があちこちに点在して冷却効果を低下させ、室内側への熱の輻射により不快感を改善できないといった問題があった。【０００５】  この改善策として、特許第３６２００３０号に記載のようなうね状突起を利用した水を横方向に拡散させる方法がある。流下する水はうね状突起が吸収し、うね状突起に沿って横に広げながらうね状突起を越えて流下させ、後に続くシート全面に水を拡散させる方式である。しかしながら、この方法でも水の拡散流下の精度は向上するが長尺全面に水を行き渡らせるには長時間を要する。
【発明の開示】
【発明が解決しようとする課題】
【０００６】  解決しようとする問題点は、少量散水用の配管装置をそのまま使用し、短時間のうちに大量の水を散水して長尺流下面に急速に含水させ、その後は流下面の含水状態を保つのに必要な少量の水を供給する水量の切換のできない点である。
【課題を解決するための手段】
【０００７】  本発明は、散水初期において、短時間に多量の水を流下させるために、常用される配管装置はそのままに、配管に僅かな内圧を加えて一時的に大量の水を放出する放水路と、静圧のもとで少量の水を正確に放出する側面オリフィスをねじ棒に設けたことを主な特徴としている。
【発明の効果】
【０００８】  本発明の配管装置は、配管に僅かな内圧を加えるか加えないかの単純な調整操作により流出する水の流量を所望の最大流量から予め設定した最小流量まで選択的に変化させ、間歇運転のもとでも長尺の大型屋根全面を短時間のうちに湿潤状態に変え吸水状態に保てるという利点がある。
【発明を実施するための最良の形態】
【０００９】  常用される構造形態そのままに、大量の水を放出することと少量の水を精度よく散水することの２つの相反する要求を満足させられる、単純な構造をした扱いやすい配管装置を提供する。
【実施例１】
【００１０】  配管装置１は、送水用の配管２と、配管の下側壁に位置する内ねじを形成した設置孔４と、設置孔の内ねじに係合する外ねじ３を持ち、設置孔４から配管内にねじ込み挿入される棒状の弁本体７と、配管外に露出する下側の端部５から配管の上部空間に挿入された上側の端部６にかけて弁本体の軸線に沿って設置された、加圧送水時に大量の水を放出する通路断面積の大きな放水路８と、弁本体７の下側の端部にかけて側面に開口し、静圧送水時に少量の水を流出させる前記放水路に連絡する側面オリフィス９とを有している。
ここでいう加圧送水とは、配管に内圧が加わった状態での送水をさし、配管内は水が充満し口径の大きな放水路８を通じて大量の水が排出される。これに対し、配管内を小川のように水が流れている状態を静圧送水と表現している。１０は静圧送水時の水面を表している。この流水の水深は配管全長にわたり大きな差はなく水圧もほぼ一定なので、それぞれの側面オリフィス９から流出する水量もほぼ一定である。
弁本体７の回転操作により配管壁に対する側面オリフィス９の位置移動を行い、配管内部での側面オリフィスの開口断面積を変化させて流出する流体の流量調節が行われる。【００１１】  設置孔４はドリルにより開けられる。タップ付きドリルを使用した場合、穴開けと同時に内壁に内ねじを形成することができ作業能率の面で都合がよい。
形成された設置孔４に弁本体７を挿入する。外ねじ３を設置孔の内ねじに噛み合わせて弁本体を回転させれば弁本体は穴内に進入していく。この回転操作により配管壁に対する側面オリフィス９の位置が上方に移動し、配管内部での側面オリフィスの開口断面積は大きくなっていく。弁本体の上下の位置調整で側面オリフィスの開口断面積が変化する一方、弁本体の上側の端部は常に配管の上部空間に位置し加圧送水時に水の大量散水を可能にしている。【００１２】  配管は、屋根冷却の散水配管の他に、融雪水の供給配管として使用することもできる。この場合の配管装置は温水の散水機能を果たす融雪水供給装置であり、送水を停止した後は側面オリフィスは配管内の水を排出し、管内の凍結を防止する。【００１３】  弁本体は端部を残して主要部は配管内に収容され、本来の配管の外観を呈しているにすぎない。間隔をおいて多数の弁本体を使用しても配管の直線的な形態は変化せず、見る者にどこにでもある単純な設備仕様の印象しか与えないため、様々な用途に使用でき都合が良い。【００１４】  配管を流れる流体は弁本体に接触しながらその周囲を流れ、側面オリフィスから流出する。弁本体は配管内に収納されているの凍結が起きにくい。仮に、側面オリフィスと放水路が氷結して閉塞することがあっても、送水が再開されれば弁本体全体は急速に加熱され短時間のうちに解氷し開通させることができる。短時間のうちに自律復帰するため、ヒータ加熱手段を設置しておかなくてもよい。【００１５】  ドライバ等の工具を用いて手軽に弁本体を回転させて位置調整を行なえるが、いったん調整を終えた弁本体は部外者が手で容易に動かすことはできず厳格な保全管理を行える。【００１６】  前述した構成において、前記側面オリフィスを弁本体の棒状部分の両側に相対して設けておけば、配管内を流れる流体は側面オリフィスを通過するのでごみ詰まりが起きにくい。【００１７】  弁本体を下側の端部方向に移動させれば側面オリフィスは配管の内部空間から外れ通路は遮断される。【００１８】  加圧送水時、図示のような側面オリフィスを設けることで放出する流体を、例えば、扇状にスプレイすることができる。あるいは、この端部に噴霧を行うオリフィスを設けたプレート板を適宜ねじ締め固定して使用することもできる。プレート板は中央にスプレー穴を設けたキャップの形態をしており、弁本体の露出する端部の外周に設けた外ねじに係合する内ねじを備えている。また、弁本体の突出する下側の端部はホース取付け用のニップルとして使用することもできる。
【産業上の利用可能性】
【００１９】  工場、駅舎、公共施設のような数万平米におよぶ長尺大型折半屋根にも対応することができる。
【図面の簡単な説明】
【００２０】
【図１】  弁本体の一例を示す斜視図である。
【図２】  配管装置の構造例を示す説明図である。
【符合の説明】
【００２１】  １  配管装置
２  配管
３  外ねじ
４  設置孔
５  下側の端部
６  上側の端部
７  弁本体
８  放水路
９  側面オリフィス
【図１】
2008202775.tif 000003
【図２】
2008202775.tif 000004